Podtech/llm-jp-corpus-v4-ja_patent huggingface dataset:
(57)【要約】      （修正有）【課題】ブラジャーをすることがめんどう、肩がこる、ひもが肩から落ちる着けているうちにづれてしまう、などの課題がある。【解決手段】めんどう、肩がこる、ずれてしまう心配がない。洋服から乳首がふくれてみともないことがない。【選択図】図１
0003127086.tif 000002
【実用新案登録請求の範囲】
【請求項１】
貼るブラジャーは下着の上から貼るブラジャーであること。
【請求項２】
貼るブラジャーは使い捨てのブラジャーであること。
【請求項３】
やわらかな厚手の紙を使う又は布を使うこと。
【考案の詳細な説明】
【技術分野】
【０００１】本考案は下着の上から貼って使い捨てるブラジャーである。
【背景技術】
【０００２】従来は下着の上から貼るブラジャーはなかった。
【考案の開示】
【考案が解決しようとする課題】
【０００３】ブラジャーは乳をつつむ下着で乳を形よく見せる物であるが人によっては、めんどう、肩がこる、体に合わなくてはずれてしまう、問題点があった。
【課題を解決するための手段】
【０００４】貼るブラジャーは下着の上から乳の部分に貼るとめんどうでなく、うすい洋服を着た時乳首が見えないのでよい。
【考案の効果】
【０００５】貼るブラジャーはめんどう、肩こり、はずれる心配がなく乳首がそとから見えるとみともないのでかくすことができる。【０００６】特に高齢者は体が変ってしまうので貼るブラジャーがよい。
【図面の簡単な説明】
【０００７】
【図１】「貼るブラジャーを示した平面図である」
【図２】「貼るブラジャーを示した断面図である」
【符号の説明】
【０００８】１  貼るブラジャー本体。
２  芯
３  二重になる。
【図１】
0003127086.tif 000003
【図２】
0003127086.tif 000004
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
下着の上に貼って使い捨てにできる、やわらかな厚手の紙の素材のブラジャーである。
【請求項２】
直径１０．５ｃｍのまる形でまわりが五弁の花形になっている請求項１記載のブラジャーである。
【請求項３】
厚さは三重になっているが真中の芯は直径６ｃｍのまる形になっている請求項１のブラジャーである。
【手続補正書】
【提出日】平成18年8月24日(2006.8.24)
【手続補正１】
【補正対象書類名】実用新案登録請求の範囲
【補正対象項目名】全文
【補正方法】変更
【補正の内容】
【実用新案登録請求の範囲】
【請求項１】
直径１０．５ｃｍのまる形でまわりが五弁の花形になっているブラジャー。
【請求項２】
厚さは三重になっていて真中の芯は直径６ｃｍのまる形になっている請求項１記載のブラジャー。
【請求項３】
下着の上に貼ってはがすことのできる使い捨て可能の請求項１記載のブラジャー。
(57)【要約】【課題】多機能釣り糸巻きつけボックスの構造を提供する。【解決手段】中空本体１０の片側に開口口を設け、内部を数個に区切って小物を収納するスペース１２があり、各区切りのいずれも蓋１３，１５を具有し、また本体の両サイドに凸壁１１を設け、該凸壁１１の間に釣り糸１を巻きつける。前記本体の片側に長い収納スペース１４を設け、長めの小物を収納できる。前記本体の外部にシリコンカバー２０を設け、シリコンカバー２０の上に釣り糸１を巻きつけ、釣り針２を固定する。前記本体１０の上部に数個の釣り糸挟みブロック１７を設け、シリコンカバー２０に釣り糸挟みブロック１７を露出する穴２１を具有し、釣り糸挟みブロック１７が釣り糸１を固定する。前記本体１０のサイドに弾性フック１６を設け、ベルトなどに掛けられ、携帯に便利である。【選択図】  図1
0003127819.tif 000002
【実用新案登録請求の範囲】
【請求項１】
中空本体の片側に開口口を設け、内部を数個に区切って小物を収納するスペースがあり、各区切りのいずれも蓋を具有し、また本体の両サイドに凸壁を設け、該凸壁の間に釣り糸を巻きつけることを特徴とする多機能釣り糸巻きつけボックスの構造。
【請求項２】
前記本体の片側に長い収納スペースを設け、長めの小物を収納できることを特徴とする請求項1記載の多機能釣り糸巻きつけボックスの構造。
【請求項３】
前記本体の外部にシリコンカバーを設け、シリコンカバーの上に釣り糸を巻きつけ、釣り針を固定することを特徴とする請求項1記載の多機能釣り糸巻きつけボックスの構造。
【請求項４】
前記本体の上部に数個の釣り糸挟みブロックを設け、シリコンカバーに釣り糸挟みブロックを露出する穴を具有し、釣り糸挟みブロックが釣り糸を固定することを特徴とする請求項1記載の多機能釣り糸巻きつけボックスの構造。
【請求項５】
前記本体のサイドに弾性フックを設け、ベルトなどに掛けられ、携帯に便利なことを特徴とする請求項1記載の多機能釣り糸巻きつけボックスの構造。
【考案の詳細な説明】
【技術分野】
【０００１】
本考案は多機能の釣り糸巻きつけボックスの構造に関し、主な技術及び目的は、中空の本体を設け、その内部は小物を収納できる数個の収納スペースに区切り、サイドに長い小物を収納するスペースや、ベルトなどに引っ掛けられる弾性フックを設けている。本体の表面に釣り糸挟みブロック及びシリコンカバーを設け、釣り糸を巻きつけて固定する構造に関する。
【背景技術】
【０００２】
釣具は釣竿のほかに、道糸、ハリス、釣り針、浮き、釣り糸を切るハサミ、おもりなどが含まれる。公知の釣り針をつけたハリスの巻く方法は、スポンジの両端に溝を設け、その上に釣り糸を巻きつけ、釣り針を差し込む。上述のように、公知技術は釣り糸を巻きつけるのみで、他の釣具を収納することができず、浮きやハサミなどは別途箱を用意するなど不便であるため、上述の技術を改善する必要があった。
【特許文献１】特開２００５−２４５３９６号公報
【考案の開示】
【考案が解決しようとする課題】
【０００３】
本考案の目的は、釣具の釣竿のほかの道具である道糸、ハリス、釣り針、浮き、釣り糸を切るハサミ、おもりなど、全てを一つにまとめる多機能釣り糸ボックスの構造を提供することにある。
【課題を解決するための手段】
【０００４】
上述の目的を解決するために、本考案は多機能釣り糸ボックスの構造を提供するものであり、小物や長いものを収納するスペースや、釣り針をつけたハリスを固定する孔や、携帯に便利なフックなどを付加した構成のものである。
【０００５】
すなわち、本考案の多機能釣り糸巻きつけボックスの構造は、中空本体の片側に開口口を設け、内部を数個に区切って小物を収納するスペースがあり、各区切りのいずれも蓋を具有し、また本体の両サイドに凸壁を設け、該凸壁の間に釣り糸を巻きつけることを特徴とする。
また、前記本体の片側に長い収納スペースを設け、長めの小物を収納できることを特徴とする。
また、前記本体の外部にシリコンカバーを設け、シリコンカバーの上に釣り糸を巻きつけ、釣り針を固定することを特徴とする。
前記本体の上部に数個の釣り糸挟みブロックを設け、シリコンカバーに釣り糸挟みブロックを露出する穴を具有し、釣り糸挟みブロックが釣り糸を固定することを特徴とする。
前記本体のサイドに弾性フックを設け、ベルトなどに掛けられ、携帯に便利なことを特徴とする。
【考案の効果】
【０００６】
公知技術のように、釣り竿のほかの小物を別途の箱を用意する必要がなく、全ての釣り道具を一つにまとめることができ、且つプラスティックの射出成型を用いるため、製造時間が短く、コストが安い効果が得られる。
【考案を実施するための最良の形態】
【０００７】
図1、図2が示すのは、中空の本体10、該本体の片側に開口口を具有し、そこに小物を収納できるように数段に区切った内部収納スペース12と、各区切りに蓋13を設ける。反対側に長い小物を収納するサイド収納スペース14と蓋15を設けている。また、本体10の両側に凸壁11を設け、二つの凸壁11の間にシリコンカバー20を通す。シリコンカバー20に釣り糸1を巻きつけ、釣り針2を引っ掛ける。本体10の上部に数個の釣り糸挟みブロック17を設け、シリコンカバー20と対応する穴21より釣り糸挟みブロック17を露出する。釣り糸挟みブロックは釣り糸1を固定する。該本体10のサイドにある収納スペース14の外側に弾性フック16を設け、ベルトなどに挟み、携帯に便利である。
【０００８】
本考案の本体10、蓋13,15、弾性フック16及びそれらによって形成される内部、サイドの収納スペース12,14は、プラスティックの射出成型を用いるため、製造時間が短く、コストが安い効果が得られる。
【０００９】
本考案の内部収納スペース12は浮き、おもり、釣り針など短くて小さい体積の小物を収納し、サイドの収納スペース14は長い形の浮きやハサミなど、長い小物を収納する。
【００１０】
本考案で釣り糸を巻く時、図2が示すように、釣り糸1の一端を釣り糸挟みブロック17に固定した後、本体10のシリコンカバー20に巻きつける。最後に釣り糸の別端を釣り糸挟みブロック17に固定する。釣り針2をシリコンカバー20に差し込む。こうすれば数本の釣り針2をつけた釣り糸1(ハリス)が整然と本体10のシリコンカバー20に並べられる。また、本体10の弾性フック16はベルトやリュックの紐などに挟むことができ、携帯及び使用時に便利である。
【図面の簡単な説明】
【００１１】
【図１】本考案の立体分解図である。
【図２】本考案の組立立体図及び釣り糸巻きつけ略図である。
【符号の説明】
【００１２】
1.釣り糸
2釣り針
10本体
11凸壁
12内部収納スペース
13、15  蓋
14  サイド収納スペース
16  弾性フック
17  釣り糸挟みブロック
20  シリコンカバー
21  穴
【図１】
0003127819.tif 000003
【図２】
0003127819.tif 000004
(57)【要約】      （修正有）【課題】本考案は手洗器の色や装飾、そして排水口を自由に変えられるようにして模様替えを可能にする。【解決手段】配水管に固定した凹状の手洗器の上に取り外し可能なもう一つの手洗器を据えることのより、その上部の器の色や装飾、排水口の異なった物と交換する。【選択図】図２
0003127858.tif 000002
【実用新案登録請求の範囲】
【請求項１】
排水管に連結固定された手洗器Ｂと、手洗器Ｂに着脱可能に栽置されるとともに手洗器Ｂへ排水する排水口を備えた手洗器Ａとからなり、前記手洗器Ａは排水口の形状が異なる
ものを多数用意し、手洗器Ａを交換することにより排水口の形状を切り換え可能に構成したことを特徴とする手洗器
【考案の詳細な説明】
【技術分野】
【０００１】
本考案は、手洗器に関する。
【背景技術】
【０００２】
従来の手洗器は一度据え付けると、取り替えにくく、同じデザインの手洗器を長く使用し続けなければならない。（非特許文献１参照）
【非特許文献１】Ｔシリーズ    ＳＨＩＧ ＡＲ ＡＫＩ   ＢＥＳＴ ＳＥＬＥＣＴＩＯＮ Ｐ５７
【考案の開示】
【考案が解決しようとする課題】
【０００３】
しかしながら、従来の手洗器では固定されているため手軽に取り替えるのは困難であり、同じデザインの手洗器を使いつづけなければならなかった。
【課題を解決するための手段】
【０００４】
排水管に連結固定された手洗器  Ｂと、手洗器  Ｂに着脱可能に栽置されるとともに手洗器Ｂへ排水する排水口を備えた手洗器Ａとからなり、前記手洗器Ａは排水口の形状が異なるものを多数用意し、手洗器Ａを交換することにより排水口の形状を切り換え可能に構成することで上記課題を解決する。    
。
【考案の効果】
【０００５】
手洗器 Ａの色や装飾、排水口を自由に変えられ、そして取り替えができるために手洗器の模様換えが可能になる。
【考案を実施するための最良の形態】
【０００６】
図１に示すように、本考案の手水器 Ａの周囲に帽子のつばのような部分の下に溝が設けてあり、その部分に、固定された手洗器Ｂの上部の縁を当てて、被せて据え置く
【図面の簡単な説明】
【０００７】
【図１】手洗器 Ａを手洗器  Ｂに設置する断面図
【図２】手洗器 Ａを手洗器  Ｂに設置する斜視図
【図３】手洗器 Ａの参考図
【符号の説明】
【０００８】
１・・・手洗器 Ａ
２・・・手洗器 Ｂ
３・・・排水栓
【図１】
0003127858.tif 000003
【図２】
0003127858.tif 000004
【図３】
0003127858.tif 000005
(57)【要約】      （修正有）【課題】バッティング練習具の機能性、トスバッティング機の価格、家庭での使用不向きなどの欠点を解決し、機能的且つ安価で自宅でも気軽にできるバッティング練習具を提供する。【解決手段】柔らかめのボールに紐を付け、振り子のように振れるようにし、紐の末端にはジョイント具を付け、竿等を軸に回る回転部分ができるようにした練習具である。竿に取り付けた練習具は振り子のように揺れ、前方から進んできたところを打つ方式である。打たれたボール１は竿を軸に数回回転し、回転後は元の振り子の状態に戻る。一々ボールをセットすることもなく連続して打つことができ、機能的である。基本部分はボール１と紐２と紐の末端（ジョイント）３の回転部分の３つの部分でできており、安価で製造でき、家庭にある物干し竿に取り付けて、気軽に練習できる。【選択図】図１
0003127852.tif 000002
【実用新案登録請求の範囲】
【請求項１】
左右に掛けた物干し竿などを軸に回転する、振り子式バッティング練習具であって、柔らかめのボールに紐を付け、紐の末端に竿等を軸に回転する輪ができるようジョイント具を備え付けた練習具。
【考案の詳細な説明】
【技術分野】
【０００１】
本考案は、野球のバッティング練習具に関するものであり、テニス、ゴルフなど、打球動作のある他の競技に、応用可能である。
【背景技術】
【０００２】
従来のバッティング練習具は、固定された棒状のボール受けにボールの載せて打つ方式（例えば特許文献１参照。）や、トスバッティング機によるバッティング（例えば特許文献２参照）、ネットを備え、それに向かって打つ方式（非特許文献１参照）などいろいろあるが、いずれも機能的でなかったり、設置に費用がかかったりする。また、人によるトスバッティングにおいては、トスをする人が必要となり一人ではできないという不便さがある。
【特許文献１】特開２００１−２２４７３３号公報
【特許文献２】特開平１１−１１４１１８
【非特許文献１】「インターネット  ＩＭＸ／楽しい家庭用遊具  www.titltd.jp/bl-order29.htm 」
【考案の開示】
【考案が解決しようとする課題】
【０００３】
従来の固定された棒状のボール受けによるバッティング練習具の機能性の欠点、機械化されたトスバッティング機の価格上の問題、持ち運びが不便性、家庭での使用不向きなどの欠点を解決し、機能的且つ安価で自宅でも気軽にできるバッティング練習具開発を課題に考案されたものである。
【課題を解決するための手段】
【０００４】
本考案は図１に示すように、柔らかめのボールに紐を付け、振り子のように振れる形にし、振り子状のボールが、前方から進んできたところを打つ方式である。打たれたボール１は竿を軸に数回回転し、回転後は元の振り子の状態に戻る。一々ボールをセットすることもなく連続して打つことができ、機能的である。
【０００５】
基本部分は図３に示すように、ボール１と紐２と紐の末端（ジョイント）３、回転部分４でできており、安価で製造でき、家庭にある物干し竿に取り付けて、気軽に練習できる。
【考案の効果】
【０００６】
本考案によるバッティング練習具があれば、家庭でも気軽に一人でもバッティング練習をすることができる。
【０００７】
比較的安価なため特に少年野球の練習用具として適しているが、中学、高校、一般も利用可能。ボールが前方から来るため、投球したボールに近い球筋となる。球筋の変化もあって、打ち込みを続けることで、ボールの変化に対応できるバッティングアイを養うことができ、バッティングフォームの形成に役立てることができる。また、健康運動器具としての活用も期待できる。
【考案を実施するための最良の形態】
【０００８】
本考案は家庭でも気軽に一人でバッティング練習ができるよう考案された練習具で、図１に付いて説明すれば、ボール１の部分、紐２の部分、紐の末端（ジョイント）３の部分の３部分からなる。
【０００９】
図３に示すようにボール１の部分は柔らかめのボールを使用しバッティングの強さに耐えられる紐が接続されている。紐２の部分は滑りの良い紐を使用、長さは物干し竿の高さ程度とし、使用時に長短を調節できるようにする。紐の末端（ジョイント）３の部分は図３に示すようにジョイント具を取り付け竿を一巻きして、図３のように竿を回る回転部分４ができるようにする。ジョイント具は、竿への取り外しが容易にできるようにする。
【００１０】
使用時は図１、図２に示すように、物干し竿等に取り付け振り子の状にして使用する。ボールが振り子のように前方から進んできたところを打つ方式で、トスに近い動いたボールを打つことができる。打った後、ボールは数回、回転し、元の振り子状態に戻り、何度でもバッティングすることができる。
【実施例１】
【００１１】
ボール１の部分はソフトな材質にし打力を吸収しやすくする。
【００１２】
紐の部分２は滑りの良い紐を用いることで絡みを少なくする。
【００１３】
紐の末端３の部分は、ジョイントを付け竿に取り外しがしやすいようにする。
【産業上の利用可能性】
【００１４】
本発明は少年野球を始め、野球を楽しむ者の安価で気軽にできるトレーニング練習用具とし普及していくと思うし、また運動不足解消の健康グッツとしても使用可能である。
【図面の簡単な説明】
【００１５】
【図１】使用状況を示す斜視図（１）
【図２】使用状況を示す斜視図（２）
【図３】本考案の正面図
【符号の説明】
【００１６】
１ボール
２紐
３紐の先端（ジョイント部）
【図１】
0003127852.tif 000003
【図２】
0003127852.tif 000004
【図３】
0003127852.tif 000005
(57)【要約】【課題】  食品加工用の多用途スパチュラ（へら）を提供する。【解決手段】本考案のスパチュラ１は、スパチュラ本体２がショア硬度の異なるシリコン材質によって形成されたすくい片１０、１１を互いに並列に接合状態にして構成され、且つスパチュラ本体２の後端部には持ち手１２が連結されたものである。従って、食材の分配や造型製作への使用が便利で、クリームや餡などの食材を軽く混ぜ合わせる時、スパチュラ本体２のショア硬度が軟らかいすくい片１１及びその大刀縁部１１０を利用し、更に、ケーキ等の硬い食材を切り分ける時には、スパチュラ本体２のショア硬度が硬いすくい片１０及び小刀縁部１００を利用できることで、異なる用途使用が可能である。【選択図】  図１
0003127805.tif 000002
【実用新案登録請求の範囲】
【請求項１】
食品加工用に使用される多用途スパチュラであって、
異なるショア硬度を有するシリコン材質によって組み合わせ形成されたスパチュラ本体からなり、前記スパチュラ本体は、一辺がすくい片のショア硬度が６０〜７０で、前端は小刀縁部を有し、他辺のすくい片のショア硬度が３０〜３５で、前端が大刀縁部を有してなり、スパチュラ本体の後端には持ち手が連結されていることを特徴とする食品加工用の多用途スパチュラ。
【考案の詳細な説明】
【技術分野】
【０００１】
本考案は、食品加工用の多用途スパチュラ（へら）に関するものであって、特に、一辺のすくい片のショア（shore）硬度が６０〜７０で、他辺のすくい片のショア（shore）硬度が３０〜３５であるように、それぞれ異なるショア硬度のシリコン材質から形成された一辺のすくい片と他辺のすくい片からなる構成とし、これにより、ケーキやパン等の食品の製作工程中、クリームや餡等を掬う作業、或いは、分割して造型する作業、という異なる用途に使用できる食品加工用の多用途スパチュラに関するものである。
【背景技術】
【０００２】
一般に、ケーキやパンを製作する場合には、必要な食材を容器中に入れて、充分に攪拌して生地にする。そして、攪拌後の食材を型に流し込み、表面を整え、オーブンで焼き、焼きあがったケーキやパンの粗熱が取れたら、デコレーションを施すようにしている。
このような一般の製作工程中においては、多くの道具が使用される。例えば、軟らかいクリームや餡などの食材を混ぜ合わせる時には、ゴムなどの軟らかい材質のすくい片の手動工具を使用し、ケーキなどの食材を分割したい時には、硬い材質のすくい片の手動工具を使用している。
上述のようにケーキやパンなどの製作過程においては、異なる工程に応じて異なる手動工具を使用するので、使用者は、多くの手動工具から材質に合わせた最適な手動工具を選択しなければならないので、使い勝手が極めて不便である。
【考案の開示】
【考案が解決しようとする課題】
【０００３】
本考案は、上述の問題を改善するようにした、食品加工用の多用途使用が可能なスパチュラ（へら）を提供することを目的とする。
【課題を解決するための手段】
【０００４】
本考案の食品加工用に使用される多用途スパチュラは、異なるショア硬度を有するシリコン材質によって組み合わせ形成されたスパチュラ本体からなり、前記スパチュラ本体は、一辺がすくい片のショア硬度が６０〜７０で、前端は小刀縁部を有し、他辺のすくい片のショア硬度が３０〜３５で、前端が大刀縁部を有してなり、スパチュラ本体の後端には持ち手が連結されていることを特徴とする。
【考案の効果】
【０００５】
本考案の食品加工用の多用途スパチュラによれば、ショア硬度の異なるシリコン材質によってそれぞれ形成されたすくい片からなっているので、食品の調理・加工製作過程において、硬軟食材に最適するすくい片を使用することが可能となるので、多用途使用が達成でき、手動工具としての使い勝手が極めて良好である。
【考案を実施するための最良の形態】
【０００６】
以下、この考案の食品加工用の多用途スパチュラの最良の形態に係る実施例について、図面を参照して説明する。
【実施例】
【０００７】
図１、図２で示されるように、本考案の食品加工用の多用途スパチュラ１は、スパチュラ本体２と持ち手１２によって構成されている。前記スパチュラ本体２は、二種類のショア（shore）硬度の異なるシリコン材質から構成され、ショア硬度の異なるすくい片１０，１１を互いに並列に接合状態にしてなるもので、一辺のすくい片１０のショア硬度が６０〜７０で、前端の湾曲部が小さく形成された小刀縁部１００を有し、他辺のすくい片１１のショア硬度が３０〜３５で、前端の湾曲部が大きく形成された大刀縁部１１０を有しており、スパチュラ本体２の後端には、Ｕ字状に形成した持ち手１２の一端が連結されている。
【０００８】
上述のような構成されたスパチュラ１は、食品材料の分配や造型製作への使用が便利で、クリームや餡などの食材を軽く混ぜ合わせる時には、スパチュラ本体２のショア硬度が軟らかいすくい片１１及びその大刀縁部１１０を利用し、更に、ケーキ等の硬い食材を切り分ける時には、スパチュラ本体２のショア硬度が硬いすくい片１０及び小刀縁部１００を利用する。
【０００９】
本考案のスパチュラ本体２は、ショア硬度の異なるシリコン材質によって形成されたすくい片１０，１１を互いに並列に接合状態にして構成したものであるため、ケーキやパンの製作において、クリームや餡などの混合や、食品の成型や分割などの造型設計の異なる用途に使用できる他、すくい片１０，１１の前端の小刀縁部１００と大刀縁部１１０は、収容容器の底部にへばりついたパン生地や或いは餡等を削り取ることもできる。また、炒めたり、混ぜたりするための器具としても使用でき、異なる大きさのフライパンに符合して使用できる。更にまた、スパチュラ本体２はシリコン材質からなるので、トレイを傷つけず、実用性と便利性を具備する。
なお、スパチュラ本体２は、射出成型等の一体成型であってもよいし、別個に形成して、互いに接着接合したものでもよい。
【００１０】
本考案では好ましい実施例を前述の通り開示したが、これらは決して本考案に限定するものではなく、当該技術を熟知する者なら誰でも、本考案の精神と領域を脱しない範囲内で各種の修正や変更を加えることができ、従って本考案明の保護範囲は、実用新案登録請求の範囲で指定した内容を基準とする。
【図面の簡単な説明】
【００１１】
【図１】本考案の食品加工用の多用途スパチュラの一実施例を示す全体斜視図である。
【図２】本考案のスパチュラ部の拡大断面図である。
【符号の説明】
【００１２】
１        スパチュラ
２        スパチュラ本体
１０      すくい片
１００    小刀縁部
１１      すくい片
１１０    大刀縁部
１２      持ち手
【図１】
0003127805.tif 000003
【図２】
0003127805.tif 000004
(57)【要約】【課題】  夫妻が寒い日に腕を組んで歩くときに好適な上着を実現することを課題とする。【解決手段】  袖（１０）の上腕部（１１）の内側に、ポケット（１２）を設ける。夫妻が寒い日に腕を組んで歩くとき、男性が上着（１）を装着した状態で、手袋を装着していない女性は男性の上腕部（１１）の内側にあるポケット（１２）に手を差し込んで温めることが可能となる。【選択図】    図１
0003127897.tif 000002
【実用新案登録請求の範囲】
【請求項１】
袖（１０）の上腕部（１１）の内側に、ポケット（１２）を有する構成としたことを特徴とする上着。
【請求項２】
請求項１に記載の上着において、
前記ポケット（１２）は、上腕部（１１）の長手方向に長い開口を有する構成であることを特徴とする上着。
【考案の詳細な説明】
【技術分野】
【０００１】
本考案は防寒機能を備えた一種の上着の改良構造に関する。
【背景技術】
【０００２】
緯度が亜熱帯または温帯付近に位置する国では、冬の気候は寒帯国家ほど厳しくはないが、防寒対策のためにはどうしても上着またはジャケットを着用しなければならない。しかし、手袋を付ける習慣が必ずしもあるとは限らないので、夫婦またはカップル同士が手を繋いだり、腕を組んだりして歩く時、手の冷えを感じることがよくある。
【考案の開示】
【考案が解決しようとする課題】
【０００３】
よって、手袋を付けていない相手の手を温めることができないという従来のジャケット構造における問題点を改善し、より理想的で実用性を伴った新型構造を開発することは消費者が待望することであり、関連業者の目指すところでもある。
【０００４】
考案者は長年関連製品の設計開発に携わってきた経験を活かし、上述の目標を達成すべく、工夫を凝らした設計を取り入れ、慎重に評価を重ねた後にやっとこのような実用性をもった考案を提案した。
【０００５】
本考案は、上記課題を解決した上着を提供することを目的とする。
【課題を解決するための手段】
【０００６】
本考案は、袖（１０）の上腕部（１１）の内側に、ポケット（１２）を有する構成としたものである。
【考案の効果】
【０００７】
夫妻またはカップル同士が寒い日に腕を組んで歩く時、男性が上着を装着した状態で、手袋を装着していない女性は男性の上腕の内側にあるポケットに手を差し込むことによって、手を温めることが出来る。
【考案を実施するための最良の形態】
【０００８】
以下、本考案の実施例になる上着改良構造について説明する。
【実施例】
【０００９】
図１は本考案になる上着改良構造の実施例を示す。上着１は防寒着としての役割を有し、上着１の両側には腕を通すための袖１０が縫製されている。袖１０の上腕部１１の内側には、他人が手を入れて温めることのできるポケット１２が設けてある。ポケット１２は、腕を組んで歩くとき他人が手を差し込み易い箇所であって、上着１を着た状態で目立ち難い箇所である上腕部１１の内側に設けてある。
【００１０】
ポケット１２は、他人が手を差し込み易いように、上腕部１１の長手方向に長い開口を有する。
【００１１】
ポケット１２は、寒い日に二人が腕を組んで歩くときに手袋を装着していない女性の手を防寒する機能を有する。即ち、図２に示すように、夫妻またはカップル同士が寒い日に腕を組んで歩くとき、男性が上着１を装着した状態で、手袋を装着していない女性は男性の上腕の内側にあるポケット１２に手を差し込むと温まることができ、寒さによる手の冷えを防止できる。
【００１２】
上述の実施例は本考案を具体的に説明したものである。文中では特定の専門用語を用いて説明しているが、本実用新案の登録請求の範囲を限定するものではなく、この技術分野を熟知した人員は本考案の精神及び原則を逸脱しない限り、本考案に変更または改良を加えることができる。しかし、それらの変更または改良は全て本考案の登録請求の範囲の範疇に含まれるものとする。
【図面の簡単な説明】
【００１３】
【図１】本考案の第１実施例になる上着を示す図である。
【図２】図１の上着の使用状態を示す図である。
【符号の説明】
【００１４】
１      上着
１０    袖
１１    上腕部
１２    ポケット
【図１】
0003127897.tif 000003
【図２】
0003127897.tif 000004
(57)【要約】【課題】ホーキと挟みを一体とするゴミ挟み収納式ホーキを提供する。【解決手段】ホーキ１の柄２に弾性のあるゴミ挟み３を一体的に取り付ける装着手段を設けたものであり、そしてこのゴミ挟み３の装着手段が、ホーキ１の筒状の柄２に弾性のある挟み３を収納するか、またはホーキ１の柄２にコ字状の枠体７を上下に２個設けてこの枠体７にゴミ挟み３の開放脚４を挿通することにより行うものである。また前記ゴミ挟み３の開放脚４の両端に長板５を留め具６でそれぞれ回転自在に取り付けた。また前記ゴミ挟み３の材質は、鉄、アルミまたはステンレス等金属製か、または合成樹脂製の成形品とした。【選択図】図１
0003127827.tif 000002
【実用新案登録請求の範囲】
【請求項１】
ホーキ（１）の柄（２）に弾性のあるゴミ挟み（３）を一体的に取り付ける装着手段を設けたことを特徴とするゴミ挟み収納式ホーキ。
【請求項２】
前記ゴミ挟み（３）の装着手段が、ホーキ（１）の筒状の柄（２）に弾性のある挟み（３）を収納するか、またはホーキ（１）の柄（２）にコ字状の枠体（７）を上下に２個設けてこの枠体（７）にゴミ挟み（３）の開放脚（４）を挿通することにより行うものである請求項１記載のゴミ挟み収納式ホーキ。
【請求項３】
前記ゴミ挟み（３）の開放脚（４）の両端に長板（５）を留め具（６）でそれぞれ回転自在に取り付けた請求項１または請求項２記載のゴミ挟み収納式ホーキ。
【請求項４】
前記挟み（３）の材質を鉄、アルミまたはステンレス等金属製か、または合成樹脂製の成形品とした請求項１または請求項２記載のゴミ挟み収納式ホーキ。
【考案の詳細な説明】
【技術分野】
【０００１】
本考案は、ホーキの柄に枯葉やゴミ、ちり等を拾う挟みを収納したゴミ挟み収納式ホーキに関する。
【背景技術】
【０００２】
庭、道路に散乱する落ち葉やゴミ等をホーキで掃く時、ホーキと挟みを別々に両手で持って移動し、挟みを一旦その場に置いてホーキで掃き進め、また挟みを取りに戻るので不便であった。
【考案の開示】
【考案が解決しようとする課題】
【０００３】
ホーキと挟みを一体とするゴミ挟み収納式ホーキを提供する。
【課題を解決するための手段】
【０００４】
本考案のゴミ挟み収納式ホーキは、ホーキ１の柄２に弾性のあるゴミ挟み３を一体的に取り付ける装着手段を設けたものであり、そしてこのゴミ挟み３の装着手段が、ホーキ１の筒状の柄２に弾性のある挟み３を収納するか、またはホーキ１の柄２にコ字状の枠体７を上下に２個設けてこの枠体７にゴミ挟み３の開放脚４を挿通することにより行うようにした。
【０００５】
また前記ゴミ挟み３の開放脚４の両端に長板５を留め具６でそれぞれ回転自在に取り付けた。また前記ゴミ挟み３の材質は、鉄、アルミまたはステンレス等金属製か、または合成樹脂製の成形品としたことなどを特徴としている。
【考案の効果】
【０００６】
上述のように、本考案のゴミ挟み収納式ホーキは、ホーキ１の筒状の柄２に弾性のあるゴミ挟み３を収納して一体化することにより、保管管理、持ち運び、取出し使用又は収納等が容易になり、労力と不便さを軽減することに役立つ。
【０００７】
また、ゴミ挟み３は、その弾性を利用してホーキ１の筒状の柄２に挿入し収納するか、ホーキの柄に沿って一体的に装着するので不用意に脱落する恐れがなく、挟み３の保管管理、取出し使用、使用後の収納等を容易に行うことができる。
【０００８】
またゴミ挟み３は、その開放脚４の両端に長板５を回転自在に取り付けるので、大小の塵を収集する場合、臨機応変に長板５をまわして角度を変えて使用することにより、塵やゴミを能率的に収集することが可能である。
【考案を実施するための最良の形態】
【０００９】
本考案のゴミ挟み収納式ホーキは、弾性のあるゴミ挟み３を、その弾性を利用してホーキ１の筒状の柄２に収納し、一体的に保管管理する。使用の際は一体的に持ち運び、かつ、挟み３を使用する場合は筒状の柄２から抜き取って使用する。更に大小の塵を収集する場合、挟み３の開放脚部４の先端に取り付けた長板５を挟み３の脚部４と角度を変えて回転させ臨機応変に使用することにより、能率的に塵を収集することができる。又、挟み３は、その弾性を利用してホーキ１の筒状の柄２に収納しているので、不用意に脱落するおそれはなく、ホーキ１の筒状の柄２からの挟み３の取出し使用又は使用後の収納等は容易に行うことができる。
【実施例１】
【００１０】
以下、添付図面に従って実施例を説明する。図１に示すように、ホーキ１の筒状の柄２に弾性のあるゴミ挟み３を収納し、ホーキ１とゴミ挟み３を一体的に持ち運びが可能なようにした。そしてゴミ挟み３は、その弾性を利用して閉じて筒状の柄２の中に収納されているので容易に脱落する恐れがない。またゴミ挟み３の材質は、鉄、アルミまたはステンレス等金属製か、または合成樹脂製の成形品としても良い。
【実施例２】
【００１１】
実施例１においてはゴミ挟み３をホーキの柄２の筒内に収容するようにしたが、この実施例２では図２のようにホーキ１の柄２にコ字状の枠体７を上下に２個設けてこの枠体７にゴミ挟み３の開放脚４を挿通するようにした。
【００１２】
また図３、図４に示すように、ゴミ挟み３の八字形に広がる開放脚部４の両端に横幅が挟み３と同幅で長さ数センチの長板５を留め具６で回転自在に取り付ける。そして大小の塵を収集する場合、臨機応変に開放脚部４先端に取り付けた長板５を回して適宜な位置で止めて使用する。
【図面の簡単な説明】
【００１３】
【図１】ホーキの柄にゴミ挟みを収納した実施例１の正断面図である。
【図２】ホーキの柄に沿ってゴミ挟みを取り付けた実施例２の正断面図である。
【図３】ゴミ挟みの先端に長板を取り付けた状態の斜視図である。
【図４】長板の角度を変えた状態を示す斜視図である。
【符号の説明】
【００１４】
１  ホーキ
２  柄
３  ゴミ挟み
４  脚部
５  長板
６  留め具
７  コ字状の枠体
【図１】
0003127827.tif 000003
【図２】
0003127827.tif 000004
【図３】
0003127827.tif 000005
【図４】
0003127827.tif 000006
(57)【要約】【課題】容器内の液体の残量が少ないときに、容器を傾け、或いは容器を上下反転させた状態で使用する場合でも、吸上げ管の先端が容器の液体内に確実に没入するようにしたスプレー容器を提供する。【解決手段】液体を収納する容器１の口部３にスプレーヘッド５を取り付け、該スプレーヘッド５に基端７ａを接続した吸上げ管７を容器１内に垂下させると共に該吸上げ管７の先端７ｂに重り９を備えさせてなるスプレー容器において、前記吸上げ管７は合成樹脂製の蛇腹管により形成されていることを特徴とするスプレー容器。【選択図】図１
0003127834.tif 000002
【実用新案登録請求の範囲】
【請求項１】
液体を収納する容器の口部にスプレーヘッドを取り付け、該スプレーヘッドに基端を接続した吸上げ管を容器内に垂下させると共に該吸上げ管の先端に重りを備えさせてなるスプレー容器において、
前記吸上げ管は合成樹脂製の蛇腹管により形成されていることを特徴とするスプレー容器。
【考案の詳細な説明】
【技術分野】
【０００１】
本考案は、液体をスプレーするためのスプレー容器に関するものであり、例えば、アイロンがけにおいて衣類に水を吹きかけ、或いは植物に水や薬液を噴霧する際に使用されるスプレー容器に係るものである。
【背景技術】
【０００２】
スプレー容器としては、例えば特開２０００−５６５１号公報に示すように、液体を収納する容器の口部にスプレーヘッドを取り付け、該スプレーヘッドに基端を接続した吸上げ管を容器内に垂下させると共に該吸上げ管の先端に重りを備えさせてなるものが知られている。
【０００３】
このスプレー容器を以下「従来のスプレー容器」という。
【特許文献１】特開２０００−５６５１号公報
【考案の開示】
【考案が解決しようとする課題】
【０００４】
スプレー容器においては、使用者の頭上にある物に液体をスプレーする場合、或いは、低位置にある物に液体をスプレーする場合等には、容器を傾け、或いは容器を上下反転させた状態で使用する必要がある。そのような場合、容器内の液体の残量が少ないときには、吸上げ管が先端の重りの重さにより円滑に撓み、吸上げ管の先端が常に容器の液体内に没入しなければならない。
【０００５】
しかるに、従来のスプレー容器においては、吸上げ管が十分な可撓性を有しないため、容器を傾け、或いは容器を上下反転させた状態で使用する際に、吸上げ管が先端の重りの重さにより円滑に撓まないという問題がある。その結果、容器内の液体の残量が少ないときには吸上げ管の先端が容器の液体内に没入しないため、スプレー容器が容器内の液体を吸い上げることができないことがある。
【０００６】
本考案は、従来のスプレー容器における上述の如き問題を解決し、容器内の液体の残量が少ないときに、容器を傾け、或いは容器を上下反転させた状態で使用する場合でも、吸上げ管の先端が容器の液体内に確実に没入するようにしたスプレー容器を提供しようとしてなされたものである。
【課題を解決するための手段】
【０００７】
上記課題を解決するために、本考案は、下記のスプレー容器を提供するものである。
【０００８】
液体を収納する容器の口部にスプレーヘッドを取り付け、該スプレーヘッドに基端を接続した吸上げ管を容器内に垂下させると共に該吸上げ管の先端に重りを備えさせてなるスプレー容器において、
前記吸上げ管は合成樹脂製の蛇腹管により形成されていることを特徴とするスプレー容器。
【考案の効果】
【０００９】
本考案によるスプレー容器においては、吸上げ管は合成樹脂製の蛇腹管により形成されているため、該吸上げ管は十分な可撓性を有する。従って、容器内の液体の残量が少ないときに、容器を傾け、或いは容器を上下反転させた状態で使用する場合でも、吸上げ管の先端が容器の液体内に確実に没入する。
【００１０】
即ち、本考案によれば、容器内の液体の残量が少ないときに、容器を傾け、或いは容器を上下反転させた状態で使用する場合でも、スプレー容器は容器内の液体を吸い上げてスプレーすることができる。
【考案を実施するための最良の形態】
【００１１】
まず、本考案のスプレー容器が従来のスプレー容器と共通する点について説明する。
【００１２】
即ち、本考案のスプレー容器は、従来のスプレー容器と同様に、液体を収納する容器１の口部３にスプレーヘッド５を取り付け、該スプレーヘッド５に基端７ａを接続した吸上げ管７を容器１内に垂下させると共に該吸上げ管７の先端７ｂに重り９を備えさせてなるものである。
【００１３】
スプレーヘッド５は、手動ポンプ１１とノズルヘッド１３とレバー１５とを備え、取り付けキャップ１７により容器１の口部３に取り付けられている。
【００１４】
スプレーヘッド５のレバー１５を操作すると、手動ポンプ１１により吸上げ管７の先端７ｂより容器1内の液体が吸い上げられ、ノズルヘッド１３を介して液体がスプレーされる。
【００１５】
重り９は、一例としてステンレス鋼製の球体とし、重り支持体１９内に保持されている。
【００１６】
重り支持体１９は、一例として、下端を開口した略釣鐘状体とし、重り９の脱出を防止するための突起２１を備えている。
【００１７】
重り９は、重り支持体１９内において上下方向（重り支持体１９の軸方向）に移動自在、かつ、該重り支持体１９から脱出不能である。
【００１８】
なお、重り９は、重り支持体１９内の如何なる位置にあっても、吸上げ管７による液体の吸上げを妨げるものではない。
【００１９】
しかして、本考案においては、吸上げ管７は合成樹脂製の蛇腹管により形成されている。
【００２０】
吸上げ管７は、一例として、ポリエチレン製の蛇腹管により形成される。
【００２１】
図２は、本考案によるスプレー容器を上下反転させて使用している状態を示す。
【図面の簡単な説明】
【００２２】
【図１】本考案によるスプレー容器の一例を示す断面図である。
【図２】同上スプレー容器を上下反転させて使用している状態を示す断面図である。
【符号の説明】
【００２３】
１  容器
３  口部
５  スプレーヘッド
７  吸上げ管
７ａ  基端
７ｂ  先端
９  重り
１１  手動ポンプ
１３  ノズルヘッド
１５  レバー
１７  取り付けキャップ
１９  重り支持体
２１  突起
【図１】
0003127834.tif 000003
【図２】
0003127834.tif 000004
(57)【要約】【課題】素人でもはじめに刃物の角度を設定しておけば荒砥から付上げまで困難なく綺麗に研ぐことが出来るようにする【解決手段】イ  天板の下部の両端に平行リンク機構を取り付けその下端ピンは平板に固定しておく。ロ  刃物支持台は天板の上にヒンヂを介して取り付けヒンヂより後方にネヂによる角度調整機構を設けるハ  刃物の固定は万力又はクリップにより強く締め付けるニ  砥石は台車に乗せて手動又は機動力により平板上を往復運動させるホ  この場合  天板の上に重量物を載せておけば砥上がり速度は速くなる。【選択図】図６
0003127515.tif 000002
【実用新案登録請求の範囲】
【請求項１】
砥石で刃物を砥ぐ刃物砥器具において，平板上の一端側に一対の平行リンク機構を介して取り付けられる天板と，同天板にヒンヂを支点とし角度調整ネジを介して取り付けた刃物取り付け台の傾きを調整する角度調整機構と，前記刃物取り付け台に刃物を固着する刃物固定具と，同刃物固定具に取り付けられた刃物の刃の部分が上記砥石に当接摺動する如く，上記平板上を往復移動可能な台車に取り付けた砥石とからなることを特徴とする刃物砥器具。
【考案の詳細な説明】
【技術分野】
【０００１】本考案は、鉋や  鑿，包丁，等の刃物の最適な刃先角度を維持して研磨または砥ぎをより正確に行うための刃物砥器具に関する。
【背景技術】
【０００２】一般的に，刃物を手で研ぐ場合，その刃物に適した刃先形状  に砥ぎあげるには，一定の角度を保持して砥ぎ上げるための  熟練を要する。また，刃物砥ぎ専用のグラインダーを  用いる場合もあるが，これはスピードが速すぎるため，刃物がナマクラになる恐れがある，また高価であり家庭用には不向きである。
【考案の開示】
【考案が解決しょうとする課題】
【０００３】刃物を手で研ぐ場合に，熟練を要すること無くその刃物に適した刃先形状に砥ぎ上げることができる刃物砥器具を提供すること。
【課題を解決するための手段】
【０００４】本考案は砥石で刃物を研ぐ刃物砥器具において，平板上の一端側に一対の平行リンク機構を介して取り付けられる天板と，同天板にヒンヂを支点とし，角度調整ネジを介して取り付けた刃物取り付け台の傾きを調整する角度調整機構を備える。また，前記刃物取り付け台に刃物を固着する刃物固定具と，同刃物固定具により取り付けられた刃物の刃の部分が上記平板上を往復移動が可能な台車に取り付けた砥石に当接摺動する如く，組み合わせた刃物砥器具である。
【考案の効果】
【０００５】本考案は，刃物に適した適正角度を一度固定すれば砥石の高さが変わっても砥ぎ上げまで適正角度を保つことが出来るので熟練者で無くても切れ味の良い刃物が得られる。
また，装置の構造が非常に簡単で  刃物砥器具を安価に提供することが出来た。
【考案を実施するための最良の形態】
【０００６】本考案に係る具体的実施例は図１から図６に示しているが，
本実施例では  平板１の一端側に，一対の平行リンク機構２の一端を，図１に図示のピンヒンヂを介して平行リンク機構２が揺動可能な如く取り付けた。
また，平行リンク機構２の他端には，天板１を図１に図示のピンヒンヂを介して天板１が水平を維持して上下動可能に取り付けた。更に天板１にはヒンヂ５と角度調整ねじ６を介して，刃物取り付け台４を取り付けた。従って，砥ぐ刃物の刃先を最適な角度に調整する際は，刃物取り付け台４の傾きを角度調整ネヂ６を締めたり緩めたりして調整した。刃物取り付け台４には，刃物固定金具７を介して，刃先を砥ぐ刃物（本例では鉋）を，図１に図示する平板３上を前後移動可能な台車９に取り付けた砥石８に，当接摺動する如く取り付けた。
また，図３は，図１に図示の刃物砥器具の正面図であるが，点線にて示すものは刃物を刃物取り付け台に取り付け易くし，且つ刃先の研ぎ上がりの具合を見やすくするため，天板の一部と刃物取り付け台を一緒に引き起こした状況を示している。【０００７】なお，本実施例では刃物固定金具７クランプを用いたが，万力やクリップを用いることもできる。さらに，天板の上に，重り等の重量物を載せて砥げば，より早く砥ぎ上げることが出来る。また，本実施例では，手動で台車９に搭載した砥石８を前後に揺動したが，クランク機構とモーター等で摺動させても良い。図１，図４，図６，中の符号１０は，鑿用支持台を示している。図１，図４，図５，の符号７Ａ，は鑿専用の刃物固定金具である。
本刃物砥器具の主な特長としては
（１）平行リンク機構２を介在させ，天板１を水平に維持して，上下動可能に取り付けたことにより，刃物取り付け台４の傾きを，角度調整ネジ６を操作して一度最適な角度に調整後は砥ぐ刃物の刃先の角度は常に最適角度を保持可能となった。
（２）平板３上の台車９に搭載した砥石８は，台車９の前後揺動運動により常に研ぐ刃物の刃先を最適な角度に保持して当接摺動するので，砥石の高さが変わっても角度の再調整をする必要なく仕上げまで行うことが可能となった。
【図面の簡単な説明】
【０００８】
【図１】刃物砥器具の刃物取り付け台に鉋の刃を取り付けた状況を示す側面図。
【図２】図１に図示の刃物砥器具の平面図。
【図３】図１に図示の刃物砥器具の正面図。
【図４】刃物砥器具の刃物取り付け台に鑿を取り付けた状況を示す側面図。
【図５】刃物砥器具の刃物取り付け台に包丁を取り付けた状況を示す側面図。
【図６】刃物砥器具の刃物取り付け台に鉋の刃を取り付けた状況を示す全体透視図である。
【符号の説明】
【０００９】１    天板
２    平行リンク機構
３    平板
４    刃物取り付け台
５    ヒンヂ
６    角度調整ネヂ
７    刃物固定金具
７Ａ  鑿専用の刃物固定金具
８    砥石
９    砥石用台車
１０  鑿用支持台
１１  天板の一部引き起こし用のヒンヂ
１２  天板の一部引き起こし部の一端を固定する留め金
【図１】
0003127515.tif 000003
【図２】
0003127515.tif 000004
【図３】
0003127515.tif 000005
【図４】
0003127515.tif 000006
【図５】
0003127515.tif 000007
【図６】
0003127515.tif 000008
(57)【要約】【課題】  粒状の納豆を効率的にひきわり状に切ることが出来る調理器具、簡易ひきわり納豆製造器を提供する。【解決手段】  器具にポリプロピレンなどの素材を採用し、全体に棒状の胴体で、柄は手に握りやすい形状、作業者の効率性を重視した形状とする。器具の先端部は十字状などの対象を切りやすい形とし、又、刃部は包丁などの刃物のように先端部に向かうほど対象を切る面の厚みを薄くする。以上を特徴とする簡易ひきわり納豆製造器である。【選択図】図１
0003127513.tif 000002
【実用新案登録請求の範囲】
【請求項１】
納豆の粘性を洗浄し易いポリプロピレンなどの素材を用い、また形状は全体に棒状で、先端を十字形などにし、粒状の納豆を容易に刻むことの出来る形状にした簡易ひきわり納豆製造器。
【考案の詳細な説明】
【技術分野】
【０００１】  本考案は、粒状の納豆をひきわり状にする器具に関するものである。又、用途の可能性として、茹で卵などを細かく刻む調理などにも用いることの出来る調理器具に関するものである。
【背景技術】
【０００２】  従来、粒状の納豆をひきわり状にする場合や、茹で卵などを細かく刻む作業をする場合、包丁などの刃物とまな板を使って作業をしていた。
【考案の開示】
【考案が解決しようとする課題】
【０００３】  そのために次のような問題点があった。
（イ）納豆の性質である粘る菌糸や、茹でた卵の黄身が付着する性質は、作業者に後処理の手間と不快感を強いた。
（ロ）納豆や茹で卵を刻む場合、包丁やまた板などの調理器具に付着する汚れが落ちにくく、器具の洗浄にも苦労があった。特に納豆は菌糸のぬめりの為に滑りやすく、包丁の洗浄に危険を伴った。
（ハ）販売されているひきわり納豆は、粒の刻み加減を規格して販売しているため、消費者が希望するひきわりの加減を選べなかった。又、ひきわり納豆の種類も限られている為に、消費者は好みの納豆を選ぶことが出来なかった。
本考案は、以上の問題点を解決するためになされたものである。
【課題を解決するための手段】
【０００４】  器具にポリプロピレンなどの素材を採用し、全体に棒状の胴体で、柄は手に握りやすい形状、作業者の効率性を重視した形状とする。器具の先端部は十字状などにし、先端部に向かう程に対象を切る面の厚みは薄くする。以上を特徴とする簡易ひきわり納豆製造器である。
【考案の効果】
【０００５】  ポリプロピレンなどの素材を採用すれば、器具に付着した納豆の菌糸を簡単に洗浄することができ、作業の安全性も向上する。又、器具を棒状にして、先端を薄くして十字の形などにすれば、器具の先端を対象に垂直となるように力を加えるだけで好みの納豆を作業者の思う通りに容易に切断することが出来、目的に合わせてひきわりの加減も調節することが出来る。又、販売されている粒状の納豆をひきわり状にする際、まな板などを用いずに、配膳する容器の中で容易にひきわり状にすることが出来、新たに洗い物を増やす手間を省くことが出来る。加えて、粒状の納豆から大量のひきわり納豆を作る場合でも、作業者は汚れの落としやすい相応の容器を選んで作業をすることが可能になる。
【考案を実施するための最良の形態】
【０００６】  以下、本考案の実施の形態を説明する。
（イ）器具にポリプロピレンなどの素材を採用し、全体に棒状の胴体（１）。柄部（２）は手に握りやすい形状、作業者の効率性を重視した形状とする。器具の先端部は十字状などにし、対象を切りやすい形状とする。又、刃部（３）は包丁などの刃物のように先端部に向かうほど対象を切る面の厚みを薄くする。
本案は以上のような構造よりなっている。
これを使用するときは、作業者は柄部（２）を手で握り、対象に垂直方向に刃部を向けて切る。
【図面の簡単な説明】
【０００７】
【図１】本考案の斜視図
【図２】本考案の使用状態を示す側面図
【図１】
0003127513.tif 000003
【図２】
0003127513.tif 000004